(57)【要約】【課題】押下操作機能を有する操作ユニットにおいて押込可動部の押込方向に対する傾斜を抑制する。【解決手段】ガイド収容部８２における摺動ガイド７２との対向面のうち、少なくとも周方向両側の面および径方向内側の面を、押込可動部７０における回転軸心に対して偏心した位置に押込操作が行われた場合に、摺動ガイド７２が当該各面のうちのいずれかの面に当接することによって押込可動部７０が回転軸心に平行な方向に対して傾斜することを規制する形状にする。【選択図】図６
2014192056.tif 000002
【特許請求の範囲】
【請求項１】
凸部を有するベース部と、回転部と、上記凸部に固定され、上記回転部を上記ベース部に対して回転可能に取り付ける軸受部と、役物とを備え、
上記回転部は、上記軸受部に取り付けられた回転基台部と、上記回転基台部に対して上記軸受部の回転軸に沿った方向に押込操作可能に設けられた押込可動部とを備え、
上記回転部の回転を検出し、検出結果に対応する信号を外部に出力する回転操作検出部と、
上記押込可動部の押込操作を検出し、検出結果に対応する信号を外部に出力する押込操作検出部とを有しており、
上記役物の少なくとも一部が上記凸部の内部に収容されており、
上記回転基台部および上記押込可動部の一方の部材における他方の部材との対向面には、上記回転軸に平行な方向に突出する突出部が上記回転部の回転方向に沿って複数設けられており、
上記他方の部材における上記各突出部に対応する位置には、上記突出部を収容する収容部が設けられており、
上記収容部における上記突出部との対向面のうち、少なくとも上記回転軸側の面である主壁面および上記回転部の回転方向両側の面である２つの側壁面は、上記押込可動部における上記回転軸に対して偏心した位置に上記押込操作が行われた場合に、上記突出部が上記主壁面および上記２つの側壁面のうちのいずれかの面に当接することによって上記押込可動部が上記回転軸に平行な方向に対して傾斜することを規制する形状であることを特徴とする演出操作ユニット。
【請求項２】
上記各突出部における上記収容部に収容される部分の上記回転軸に平行な方向の長さが、上記軸受部の外径よりも短いことを特徴とする請求項１に記載の演出操作ユニット。
【請求項３】
上記側壁面は、平面であることを特徴とする請求項１または２に記載の演出操作ユニット。
【請求項４】
上記主壁面は、平面、または当該突出部の回転軌跡に応じた曲率を有する曲面であることを特徴とする請求項１から３のいずれか１項に記載の演出操作ユニット。
【請求項５】
上記役物は、駆動部と、上記駆動部から伝達される駆動力によって回転、移動、または変形する可動部材とを備えていることを特徴とする請求項１から４のいずれか１項に記載の演出操作ユニット。
【請求項６】
上記役物は、光源部と、上記光源部から出射される光を拡散演出する光拡散部材とを備えていることを特徴とする請求項１から５のいずれか１項に記載の演出操作ユニット。
【発明の詳細な説明】
【技術分野】
【０００１】
本発明は、各種装置の利用者が操作入力を行うための演出操作ユニットに関するものである。
【背景技術】
【０００２】
従来、利用者が演出モードや表示画像の選択等を行うための演出操作ユニットを備えた遊技機（例えば、パチンコ機、スロット機、ゲーム機など）が知られている。
【０００３】
例えば、特許文献１には、内部に回転灯を備えた操作ボタンを有する遊技機が開示されている。
【０００４】
また、特許文献２には、円環状のダイヤル操作部と、ダイヤル操作部の円環内に収容された円柱状の押圧操作部とを備えた遊技機が開示されている。
【先行技術文献】
【特許文献】
【０００５】
【特許文献１】特開２０１２−０６６１１５号公報（２０１２年４月５日公開）
【特許文献２】特開２０１２−１１０３７２号公報（２０１２年６月１４日公開）
【発明の概要】
【発明が解決しようとする課題】
【０００６】
近年の遊技機では、１つの演出操作ユニットに複数の機能が集約される場合が多く、演出操作ユニットの大型化が進んでいる。
【０００７】
ところが、押下操作機能（ボタン操作機能）を有する演出操作ユニットを大型化すると、利用者が操作ボタンの中心に対して偏心した位置に押込操作を行ったときに、押込操作によって移動する押込可動部が押込方向に対して傾斜した状態で移動することにより、押込可動部と他の部材との間に隙間が生じてゴミ等の異物が侵入してしまったり、押込可動部と他の部材との接触によって部材が破損してしまったりする場合がある。
【０００８】
本発明は、上記の問題点に鑑みてなされたものであり、その目的は、押下操作機能を有する演出操作ユニットにおける押込可動部の押込方向に対する傾斜を抑制することにある。
【課題を解決するための手段】
【０００９】
本発明の演出操作ユニットは、凸部を有するベース部と、回転部と、上記凸部に固定され、上記回転部を上記ベース部に対して回転可能に取り付ける軸受部と、役物とを備え、上記回転部は、上記軸受部に取り付けられた回転基台部と、上記回転基台部に対して上記軸受部の回転軸に沿った方向に押込操作可能に設けられた押込可動部とを備え、上記回転部の回転を検出し、検出結果に対応する信号を外部に出力する回転操作検出部と、上記押込可動部の押込操作を検出し、検出結果に対応する信号を外部に出力する押込操作検出部とを有しており、上記役物の少なくとも一部が上記凸部の内部に収容されており、上記回転基台部および上記押込可動部の一方の部材における他方の部材との対向面には、上記回転軸に平行な方向に突出する突出部が上記回転部の回転方向に沿って複数設けられており、上記他方の部材における上記各突出部に対応する位置には、上記突出部を収容する収容部が設けられており、上記収容部における上記突出部との対向面のうち、少なくとも上記回転軸側の面である主壁面および上記回転部の回転方向両側の面である２つの側壁面は、上記押込可動部における上記回転軸に対して偏心した位置に上記押込操作が行われた場合に、上記突出部が上記主壁面および上記２つの側壁面のうちのいずれかの面に当接することによって上記押込可動部が上記回転軸に平行な方向に対して傾斜することを規制する形状であることを特徴としている。
【００１０】
上記の構成によれば、回転部の回転軸に対して偏心した位置に押込操作が行われた場合に、回転方向に沿って配置された各突出部のうちの複数の突出部が収容部における当該突出部との対向面のうちのいずれかの面に当接することにより、押込可動部が回転軸に平行な方向に対して傾斜することが規制される。
【００１１】
したがって、上記凸部に役物を配置し、さらに、回転部に押込可動部を設けることにより、凸部および回転部の外径が大きくなった場合であっても、押込可動部が回転軸に平行な方向に対して傾斜してしまうことを防止できる。これにより、押込可動部が回転軸に平行な方向に対して傾斜することによって生じる部材間の隙間にゴミ等の異物が入ってしまったり、押込可動部が傾斜した状態で無理な押下操作が行われるなどして部材の破損が生じたりすることを防止できる。
【００１２】
また、上記の構成によれば、同一の回転部が回転操作機能と押込操作機能とを有し、さらに役物機能を備えた、操作性および演出性の高い演出操作ユニットを実現できる。また、軸受部が取り付けられる凸部の内部に役物の少なくとも一部が配置されているので、演出操作ユニットの中央で効果的な演出を行うことができる。
【００１３】
例えば、上記各突出部における上記収容部に収容される部分の上記回転軸に平行な方向の長さが、上記軸受部の外径よりも短い構成としてもよい。
【００１４】
上記の構成によれば、押込可動部が回転軸に平行な方向に対して傾斜することを防止するとともに、操作ユニットを小型化することができる。
【００１５】
また、上記側壁面が平面である構成としてもよい。また、上記主壁面は、平面、または当該突出部の回転軌跡に応じた曲率を有する曲面である構成としてもよい。
【００１６】
上記の各構成によれば、押込可動部における回転軸に対して偏心した位置に押込操作が行われた場合に、突出部が収容部における主壁面または側壁面に当接することによって押込可動部の傾斜を規制し、かつ当該突出部の回転軸に平行な方向への移動を許容する構成を容易に実現できる。
【００１７】
また上記役物ユニットは、駆動部と、上記駆動部から伝達される駆動力によって回転、移動、または変形する可動部材とを備えている構成であってもよい。また、上記役物ユニットは、光源部と、上記光源部から出射される光を拡散演出する光拡散部材とを備えている構成であってもよい。
【００１８】
上記の各構成によれば、多機能かつ演出性の高い操作ユニットを実現できる。
【発明の効果】
【００１９】
以上のように、本発明の演出操作ユニットによれば、操作ユニットのサイズが大型化した場合であっても、押込可動部が押込方向に対して傾斜することを抑制することができる。
【図面の簡単な説明】
【００２０】
【図１】本発明の一実施形態にかかる遊技機の斜視図である。
【図２】図１に示した遊技機に備えられる操作ユニットの分解斜視図である。
【図３】図２に示した操作ユニットの斜視図である。
【図４】図２に示した操作ユニットの側面図および断面図である。
【図５】図２に示した操作ユニットの断面図である。
【図６】図２に示した操作ユニットに備えられる操作可動部の分解斜視図である。
【図７】図２に示した操作ユニットにおける押込操作の前後の状態を示す説明図である。
【図８】図２に示した操作ユニットにおける押込操作の前後の状態を示す断面図である。
【図９】図２に示した操作ユニットにおける押込操作時の状態を示す説明図である。
【図１０】図２に示した操作ユニットに備えられる押込可動部と回転基台部との関係を示す説明図である。
【図１１】図２に示した操作ユニットに備えられる押込可動部と回転基台部との関係を示す説明図である。
【発明を実施するための形態】
【００２１】
本発明の一実施形態について説明する。
【００２２】
（１−１．パチンコ機１の全体構成）
図１は本実施形態にかかる遊技機としてのパチンコ機１の構成を示す説明図である。なお、本実施形態では、本発明を遊技機の一例であるパチンコ機に適用する場合について説明するが、本発明の適用対象はこれに限るものではなく、例えばスロット機や各種ゲーム機等の他の形態の遊技機、あるいは利用者からの操作入力を受け付ける遊技機以外の各種装置に適用することもできる。
【００２３】
図１に示したように、パチンコ機１は、遊技領域１１、表示装置１２、ハンドル１３、上皿１４、下皿１５、および演出操作ユニット１６などを備えている。
【００２４】
遊技領域１１は、ハンドル１３によって打ち出された遊技球（遊技媒体）が移動する領域である。
【００２５】
ハンドル１３は、遊技球の発射操作を行うための装置であり、利用者がハンドル１３を捻った状態で保持すると、遊技球が連続発射されて遊技領域１１に打ち出される。
【００２６】
上皿１４には、遊技によって獲得した遊技球が貯留され、下皿１５には上皿１４から溢れた遊技球が貯留される。また、下皿１５には遊技球を排出する排出口と排出口の開閉を行う排出シャッターとが設けられており（いずれも図示せず）、利用者が排出シャッターを開く操作を行うことにより、下皿１５に貯留された遊技球が下皿１５から当該下皿１５の下方に排出される。
【００２７】
表示装置１２には、遊技の状態に応じた各種演出画像や利用者に提示する操作ガイド情報などの各種画像や各種情報が表示される。
【００２８】
演出操作ユニット１６は、パチンコ機１の利用者がパチンコ機１に対する各指示入力を行うための指示入力手段である。上記指示入力の内容は特に限定されるものではないが、例えば、（ｉ）表示装置１２に表示される演出画像に対する操作指示（例えば、キャラクターの移動指示、キャラクターの選択指示、各種インジケータ画像に対する増減要求など）や、（ｉｉ）表示装置１２に表示させる各種情報（例えば、パチンコ機１のスペック情報、演出に関する説明情報、大当りの履歴情報など）の選択指示などが挙げられる。
【００２９】
本実施形態では、演出操作ユニット１６は、利用者が回転操作により指示入力を行う回転操作機能（ダイヤル操作機能）と、利用者が押込操作により指示入力を行う押込操作機能（ボタン操作機能）とを備えている。また、演出操作ユニット１６には、可動機構と電飾機構とを備えた役物が備えられている。演出操作ユニット１６の詳細については後述する。
【００３０】
なお、パチンコ機１の各部の動作は、パチンコ機１に備えられる制御部（図示せず）によって制御される。上記制御部は、例えば、ＣＰＵ（Central Processing Unit）等からなり、パチンコ機１に備えられる各種センサの検出結果、演出操作ユニット１６に対する利用者からの操作指示、およびＲＯＭ等の記憶手段（図示せず）に格納されたプログラムや各種データなどに基づいて当該パチンコ機１の各部の動作を制御する。
【００３１】
例えば、上記制御部は、演出操作ユニット１６から当該演出操作ユニット１６に対する遊技者（ユーザ）からの操作（回転操作および／または押込操作）に応じた信号を受け取り、当該信号に応じて表示装置１２の表示内容やパチンコ機１に備えられる役物や電飾部材等の動作を制御する。
【００３２】
また、上記制御部は、遊技の進行状況や遊技上の抽選結果等に応じてパチンコ機１に備えられる役物（演出操作ユニット１６に備えられる役物５０を含む）や電飾部材等の動作を制御する。
【００３３】
（１−２．演出操作ユニット１６の構成）
図２は演出操作ユニット１６の分解斜視図、図３は演出操作ユニット１６の斜視図、図４は演出操作ユニット１６の側面図および上記側面図に示したＡ−Ａ断面の断面図である、図５は図４に示したＢ-Ｂ断面の断面図である。
【００３４】
図２に示すように、演出操作ユニット１６は、操作カバー部２１、操作可動部２２、固定装着部２３、およびベース部２４を備えている。
【００３５】
操作カバー部２１は、略円筒形状の一端側を塞いだ形状を有しており、内部に固定装着部２３を収容した状態で操作可動部２２に装着される。具体的には、操作可動部２２には、操作カバー部２１側に突出し、先端が周方向外側に折り曲げられた係合爪部３２が周方向に沿って複数設けられており、操作カバー部２１の周面における各係合爪部３２に対応する位置には当該係合爪部３２が係合される係合穴部３１が設けられている。そして、各係合穴部３１に当該係合穴部３１に対応する係合爪部３２を係合させることにより、操作カバー部２１が操作可動部２２に装着される。これにより、操作カバー部２１と操作可動部２２との結合体からなる回転部２０が形成される。
【００３６】
パチンコ機１の利用者が演出操作ユニット１６を介して操作入力を行うときには、操作カバー部２１に対して回転操作（ダイヤル操作）あるいは押込操作（ボタン操作）が行われる。すなわち、操作カバー部２１は、回転操作および押込操作の両方の操作対象として用いられる。本実施形態では、図３に示すように、操作カバー部２１の天面２１ａは略平面形状になっており、利用者が押込操作を行う際にはこの天面２１ａに対して押込操作が行われる。また、天面２１ａの周縁部は演出操作ユニット１６の回転軸方向に対して傾斜した傾斜面（天面２１ａの角部を面取りした形状）になっており、当該傾斜面には天面２１ａの周方向に沿って複数の凹部２１ｂが設けられている。これにより、利用者が回転操作を行う際にはこの凹部２１ｂに触れて回転操作を行うようになっている。なお、操作カバー部２１の形状はこれに限るものではなく、例えば、半球状であってもよく、天面が凹凸形状や曲面形状であってもよい。また、操作カバー部２１の材質についても特に限定されるものではないが、本実施形態では、パチンコ機１の利用者から演出操作ユニット１６内に備えられる可動部材５２を視認可能なように、透光性を有する材質からなる操作カバー部２１を用いている。
【００３７】
固定装着部２３は、固定板部４１、固定筒部４２、固定底板部４３、役物５０、回転検知センサ６１、および押込検知センサ６２を備えている。また、役物５０は、役物駆動モータ（駆動部）５１と役物駆動モータ５１によって回転駆動される役物（可動部材）５２とを備えている。また、可動部材５２には、複数のＬＥＤ（Light Emitting Diode）からなる光源部と、光源部から出射される光を拡散演出する光拡散部材とが備えられている（いずれも図示せず）。
【００３８】
なお、本実施形態では、役物５０が、役物駆動モータ５１と役物駆動モータ５１によって回転駆動される可動部材５２とを備えた可動機構と、光源部と導光部材とを備えた電飾機構とを有している構成について説明するが、役物５０の構成はこれに限るものではない。例えば、可動機構のみを有していてもよく、電飾機構のみを有していてもよい。また、可動部材５２が回転駆動される構成に限らず、移動あるいは変形する構成であってもよい。
【００３９】
固定板部４１は平板状のリング部材であり、固定筒部４２は固定板部４１の内径に応じた直径を有する筒状部材であり、固定底板部４３は固定筒部４２の一端側（ベース部２４側の開口端部）を塞ぐように設けられた円板状部材である。なお、固定板部４１、固定筒部４２、および固定底板部４３は、一体的に成形されていてもよい。
【００４０】
固定底板部４３には、役物駆動モータ５１が取り付けられている。役物駆動モータ５１の回転軸（図示せず）は固定底板部４３に設けられた穴部（図示せず）を貫通しており、この回転軸は、固定底板部４３における操作カバー部２１側の面（固定板部４１、固定筒部４２、および固定底板部４３と操作カバー部２１との間の領域であって、回転操作時の回転軸に沿った方向から見て固定板部４１、固定筒部４２、および固定底板部４３の少なくとも一部と重畳する領域）に配置された可動部材５２にギヤ等の伝達手段（図示せず）を介して接続されている。これにより、役物駆動モータ５１の回転駆動力は上記の回転軸および伝達手段を介して可動部材５２に伝達され、可動部材５２が固定板部４１、固定筒部４２、固定底板部４３、および役物駆動モータ５１に対して相対的に回転駆動される。
【００４１】
回転検知センサ６１および押込検知センサ６２は固定板部４１における操作可動部２２側の面に取り付けられており、回転検知センサ６１は当該固定板部４１に対する操作可動部２２の回転を検出し、押込検知センサ６２は当該固定板部４１に対する操作可動部２２の一部（後述する押込可動部７０）の押込方向（回転部２０の回転軸心に平行かつベース部２４側の方向）への移動を検出する。回転検知センサ６１および押込検知センサ６２の検知結果は、パチンコ機１の制御部（図示せず）に伝達される。これにより、制御部は、利用者の演出操作ユニット１６に対する回転操作および押込操作の内容を把握し、それに応じてパチンコ機１の各部の動作（例えば表示装置１２の表示等）を制御する。
【００４２】
ベース部２４は、パチンコ機１（本実施形態ではパチンコ機１の上皿１４）に固定される部材である。ベース部２４における役物駆動モータ５１に対応する位置には、役物駆動モータ５１の形状に応じた開口部６３が設けられており、固定装着部２３は、ベース部２４との間に操作可動部２２およびシートベアリング２５を挟んだ状態で役物駆動モータ５１を開口部６３に挿入することによりベース部２４に固定される。
【００４３】
この際、固定板部４１、固定筒部４２、固定底板部４３、回転検知センサ６１、および押込検知センサ６２は、ベース部２４に対して相対的に移動・回転しない状態に固定される。また、操作可動部２２は、ベース部２４および固定装着部２３に対して回転可能な状態でこれら両部材の間に装着される。
【００４４】
具体的には、図５に示したように、ベース部２４には操作カバー部２１側に突出する円筒状の固定部（凸部）２４ａが設けられており、この固定部２４ａの外周面に軸受部（ベアリング）９０の内径側の面が嵌め込まれる。また、軸受部９０の外径側の面は操作可動部２２に取り付けられる。これにより、操作可動部２２は軸受部９０を介してベース部２４における円筒状の固定部２４ａの外周面に回転可能に取り付けられる。
【００４５】
なお、可動部材５２は役物駆動モータ５１からの回転駆動力によりベース部２４および固定装着部２３に対して回転可能であり、可動部材５２の回転動作は回転部２０（操作可動部２２および操作カバー部２１）の回転動作とは独立して制御される。
【００４６】
また、ベース部２４には、振動モータ６４が取り付けられており、パチンコ機１の制御部（図示せず）が振動モータ６４を駆動させることにより、操作可動部２２および操作カバー部２１が振動する。
【００４７】
図６は、操作可動部２２の分解斜視図である。この図に示すように、操作可動部２２は、押込可動部７０、回転基台部８０、軸受部９０、およびウェイトリング（錘）９１を備えている。
【００４８】
押込可動部７０における操作カバー部２１側の面には、上述した複数の係合爪部３２と、操作カバー部２１側に突出するように周方向に沿って等間隔で配置された多数のエンコーダ７３とが設けられている。
【００４９】
係合爪部３２は、上述したように、操作カバー部２１に設けられた係合穴部３１に係合され、それによって操作カバー部２１が押込可動部７０に固定装着される。
【００５０】
エンコーダ７３は、固定装着部２３に取り付けられた回転検知センサ６１に対応する位置に配置されている。回転検知センサ６１は、操作可動部２２の回転によって当該回転検知センサ６１の検知位置を通過したエンコーダ７３の数を計数し、それによって操作可動部２２の回転角度（あるいは回転移動量）を検出する。
【００５１】
また、押込可動部７０における回転基台部８０側の面には、押込方向に突出するバネ挿入部７１と摺動ガイド（突出部）７２とが設けられている。本実施形態では、周方向に沿って３個のバネ挿入部７１が略等間隔で配置されており、これら３個のバネ挿入部７１同士の間に周方向に沿って各４個、合計１２個の摺動ガイド７２が配置されている。各バネ挿入部７１は円筒形状からなり、当該円筒形状の内部には後述するネジ９２が取り付けられるネジ穴（図示せず）が形成されている。
【００５２】
回転基台部８０における各バネ挿入部７１に対応する位置には押込方向に沿って貫通した開口部からなるバネ収容部８１が設けられており、各摺動ガイド７２に対応する位置には摺動ガイド７２を収容するガイド収容部（収容部）８２が設けられている。
【００５３】
また、回転基台部８０における押込方向とは反対側の面には、周方向に沿って多数の凹凸溝８５が形成されている。固定装着部２３における凹凸溝８５に対応する位置には、凹凸溝８５に当接する球状部材（図示せず）が設けられており、回転基台部８０が回転操作されると凹凸溝８５に上記の球状部材が摺動することにより回転抵抗が周期的に変化し、それによって利用者にクリック感（回転操作感覚）が与えられる。
【００５４】
また、回転基台部８０の内部には、押込方向側に突出し、先端が径方向内側に折り曲げられた軸受支持爪８４が周方向に沿って複数設けられている。これら各軸受支持爪８４によって軸受部９０の外径側が支持される。なお、軸受部９０の内径側は、上述したようにベース部２４における円筒状の固定部２４ａに取り付けられる。これにより、回転基台部８０は、ベース部２４および固定装着部２３に対して相対的に回転可能に取り付けられる。
【００５５】
ウェイトリング９１は、回転部２０（操作カバー部２１と操作可動部２２との結合体）が回転操作された際に当該回転部２０に生じる慣性モーメントを増大させるためのリング形状の錘部材である。なお、本実施形態ではリング形状の錘部材を用いているが、これに限らず、例えば回転部２０の周方向に沿って複数の錘部材を配置するようにしてもよい。また、ウェイトリング９１の材質は回転部２０に適度な重量を付与できるものであれば特に限定されるものではなく、例えば、鉄や鉛などの金属材料を用いることができる。なお、ウェイトリング９１における各バネ収容部８１に対応する位置には後述するネジ９２の外径に応じた開口部９３が設けられている。
【００５６】
押込可動部７０、回転基台部８０、およびウェイトリング９１を取り付ける際には、回転基台部８０の軸受支持爪８４に軸受部９０を装着した状態で、バネ８３をバネ収容部８１内に収容し、バネ収容部８１に収容されたバネ８３にバネ挿入部７１を貫挿し、ウェイトリング９１の開口部９３を介してネジ９２をバネ挿入部７１に取り付ける。この際、各摺動ガイド７２は対応するガイド収容部８２に収容される。
【００５７】
各摺動ガイド７２は、図４に示したように、押込方向に延伸する形状を有し、延伸方向に垂直な断面が略コの字型の形状を有している。また、回転方向両側の面は平面からなり、径方向内側（回転軸側）の面は当該摺動ガイド７２の回転軌跡に応じた曲率を有する曲面になっている。なお、径方向内側の面が平面形状であってもよい。
【００５８】
各ガイド収容部８２は、摺動ガイド７２の押込方向への移動を許容するとともに、摺動ガイド７２の回転方向への移動、および摺動ガイド７２の押込方向に対する傾斜を規制するように形成されている。具体的には、ガイド収容部８２における回転方向両側の面（２つの側壁面）および径方向内側（回転軸側）の面（主壁面）は、摺動ガイド７２における回転方向両側の面および径方向内側の面に対して、摺動ガイド７２が押込方向に移動可能な程度のわずかな隙間を隔てて対向する形状を有している。また、ガイド収容部８２における径方向内側の面は開放されている。
【００５９】
図１０は、押込可動部７０および回転基台部８０の平面図である。この図に示すように、押込可動部７０の各摺動ガイド７２は、径方向内側の面が、回転軸（回転軸心）を中心とする直径φｄの円に沿って配置されている。また、回転基台部８０の各ガイド収容部８２は、径方向内側の面が、回転軸を中心とする直径φＤの円に沿って配置されている。なお、直径φＤは直径φｄよりもわずかに大きく設定されている。また、図１０に示したように、押込可動部７０の各摺動ガイド７２における周方向の幅ｗは、回転基台部８０の各ガイド収容部８２における周方向の幅Ｗよりもわずかに小さく設定されている。
【００６０】
図７および図８は、押込操作の前後の状態を示す説明図および断面図である。
【００６１】
図７に示すように、利用者が操作カバー部２１の天面２１ａを押し込む操作（押込操作）を行うと、操作カバー部２１および押込可動部７０がバネ８３の弾性力に打ち勝って押し込まれ、摺動ガイド７２がガイド収容部８２に沿って押込方向に移動する。また、図８に示すように、操作カバー部２１および押込可動部７０が、回転基台部８０、固定装着部２３、およびベース部２４に対して押込方向に移動する。固定装着部２３には上述したように押込検知センサ６２が設けられており、押込可動部７０が押込方向に移動したことは押込検知センサ６２によって検出され、押込操作が行われたことを示す信号がパチンコ機１の制御部に伝達される。
【００６２】
また、上述したように、摺動ガイド７２における回転方向両側の面および径方向内側の面とガイド収容部８２における当該各面に対向する面（２つの側壁面および主壁面）との間隔は、摺動ガイド７２が押込方向に移動可能な程度のわずかな隙間になっている。このため、例えば図９に示すように、利用者が天面２１ａの周縁部近傍（操作カバー部２１における回転操作時の回転中心（回転軸心）から偏心した位置）に対して押込操作を行った場合、各摺動ガイド７２における回転方向側の面および径方向内側の面のうちのいずれかの面が、ガイド収容部８２における回転方向側の面（側壁面）および径方向内側の面（主壁面）のいずれかの面に当接する。具体的には、回転基台部８０の回転中心と押込操作が行われた位置とを通る直線上（あるいはその近傍）に位置する摺動ガイド７２では径方向内側の面がガイド収容部８２に当接する。また、回転基台部８０の回転中心に対して上記直線に直交する方向（あるいはその近傍）に位置する摺動ガイド７２では回転方向側の面がガイド収容部８２に当接する。これにより、操作カバー部２１および押込可動部７０が押込方向（回転部２０の回転軸心に平行な方向）に対して傾斜することを規制することができる。その結果、操作カバー部２１および押込可動部７０が傾斜することによって生じる部材同士の隙間にゴミ等の異物が入り込んだり、傾斜した状態で押込操作が行われることによって部材の破損が生じたりすることを防止できる。
【００６３】
なお、摺動ガイド７２とガイド収容部８２との間隔が広すぎる場合には、図９に示した比較例のように、操作カバー部２１および押込可動部７０の傾斜を十分に規制することができない。
【００６４】
また、例えば、図１１に示すように、直径φｄ１のリング状（円筒状）の摺動ガイド１７２と、摺動ガイド１７２を収容する直径φＤ１のリング状（円筒状）のガイド収容部１８２とを設けた場合、押込可動部７０の最大傾斜角度は、摺動ガイド１７２の押込操作方向の長さが長いほど小さくなる。すなわち、図１１に示すように、摺動ガイド１７２の押込操作方向の長さがＬ１である場合とＬ２（ただしＬ１＜Ｌ２）である場合とを考えると、上記長さがＬ１の場合の最大傾斜角度θ１と上記長さがＬ２である場合の最大傾斜角度θ２とはθ１＞θ２の関係になる。また、この場合、摺動ガイド１７２とガイド収容部１８２とが当接するのは摺動ガイドにおける回転中心と押込操作位置とを通る直線上の領域（あるいは当該領域とその近傍の領域）のみになる。このため、上記のようにリング状の摺動ガイド１７２とリング状のガイド収容部１８２とを備えた構成において回転基台部８０および押込可動部７０の傾斜を規制するためには、摺動ガイド１７２の押込方向についての長さを非常に長くする必要がある。
【００６５】
これに対して、本実施形態の構成では、回転基台部８０の周方向に沿って配置された複数の摺動ガイド７２がガイド収容部８２に当接することによって操作カバー部２１および押込可動部７０の傾斜を規制できる。このため、回転基台部８０の周方向に一周する円筒状の摺動ガイドを設ける場合よりも、操作カバー部２１および押込可動部７０の傾斜を規制するために必要な摺動ガイド７２の押込方向の長さを短くすることができる。例えば、操作カバー部２１および押込可動部７０の傾斜を規制するために必要な各摺動ガイド７２の押込方向の長さを、軸受部９０の内径よりも短くできる。したがって、演出操作ユニット１６の押込方向の長さを短くすることができ、演出操作ユニット１６の小型化を図ることができる。
【００６６】
なお、本実施形態では、押込可動部７０に摺動ガイド７２を設け、回転基台部８０にガイド収容部８２を設けているが、これに限るものではない。例えば、摺動ガイド７２を回転基台部８０に設け、ガイド収容部８２を押込可動部７０に設けてもよい。
【００６７】
（１−３．実施形態１のまとめ）
以上のように、本実施形態にかかる演出操作ユニット１６は、筒状の固定部２４ａを有するベース部２４と、回転部２０と、固定部２４ａの外周側に回転部２０を固定部２４ａに対して回転可能に取り付ける軸受部９０と、役物駆動モータ（駆動部）５１と役物駆動モータ５１によって駆動される可動部材５２とからなる役物５０とを備え、回転部２０は、軸受部９０により固定部２４ａに対して回転可能に取り付けられる回転基台部８０と、回転基台部８０に対して所定方向に移動可能に備えられた押込可動部７０とを備え、回転部２０を固定部２５ａの周方向に沿って回転させる回転操作に応じた信号を出力する回転操作機能と、押込可動部７０を上記所定方向に押し込む押込操作に応じた信号を出力するボタン操作機能とを有しており、役物５０の少なくとも一部が固定部２５ａの内側に配置されている。
【００６８】
これにより、回転操作機能と押込操作機能と役物機能とを備えた、多機能かつ演出性の高い演出操作ユニットを実現できる。また、回転操作機能、押込操作機能、および役物機能をそれぞれ別々の構成により実現する場合に比べて、設置スペースを低減するとともに、部品点数を低減してコストダウンを図ることができる。
【００６９】
また、演出操作ユニット１６では、軸受部９０よりも固定部２４ａの径方向外側の位置に、回転部２０の回転操作が行われたときに当該回転部２０に作用する慣性モーメントを増大させるためのウェイトリング（錘部材）９１が取り付けられている。
【００７０】
これにより、固定部２４ａの内側に役物５０を配置することにより固定部２４ａおよび回転部２０の外径が大きくなった場合であっても、回転部２０の回転操作が行われたときに当該回転部２０に作用する慣性モーメントをウェイトリング９１によって増大させ、回転部２０の回転操作を容易かつ円滑に行わせることができる。
【００７１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７２】
本発明は、各種装置に備えられる、利用者が操作入力を行うための演出操作ユニットに適用できる。
【符号の説明】
【００７３】
１  パチンコ機（遊技機）
１６  演出操作ユニット
２０  回転部
２１  操作カバー部
２１ａ  天面
２１ｂ  凹部
２２  操作可動部
２３  固定装着部
２４  ベース部
２４ａ  固定部（凸部）
５０  役物
５１  役物駆動モータ（駆動部）
５２  可動部材
６１  回転検知センサ（回転操作検出部）
６２  押込検知センサ（押込操作検出部）
７０  押込可動部
７１  バネ挿入部
７２  摺動ガイド（突出部）
７３  エンコーダ
８０  回転基台部
８１  バネ収容部
８２  ガイド収容部（収容部）
８３  バネ
８４  軸受支持爪
９０  軸受部
９１  ウェイトリング（錘部材）
９２  ネジ
９３  開口部
【図１】
2014192056.tif 000003
【図２】
2014192056.tif 000004
【図３】
2014192056.tif 000005
【図４】
2014192056.tif 000006
【図５】
2014192056.tif 000007
【図６】
2014192056.tif 000008
【図７】
2014192056.tif 000009
【図８】
2014192056.tif 000010
【図９】
2014192056.tif 000011
【図１０】
2014192056.tif 000012
【図１１】
2014192056.tif 000013